(57)【特許請求の範囲】
【請求項１】
導電性を有するパターンが設けられた導電性パターン基板であって、
導電性パターン基板の一方の側に網目状に配置された複数の第１ライン部を含み、遮光性および導電性を有する第１導線と、
導電性パターン基板の他方の側に網目状に配置された複数の第２ライン部を含み、遮光性および導電性を有する第２導線と、を備え、
前記第２導線には、前記第２ライン部を電気的に分断するための複数の第２分断部が設けられており、
前記導電性パターン基板の一方の側から見た場合に、少なくとも一つの第１ライン部が、一つの第２分断部によって分断された二つの第２ライン部の各々の、少なくとも当該第２分断部に隣接する側の端を含む一部分と、線状に重なっており、
前記複数の第２導線によって、第２電極方向に延びる複数の第２電極と、前記第２電極の間に配置された複数の第２ダミー部と、が構成され、
前記第２分断部は、前記第２電極を構成する前記第２ライン部と前記第２ダミー部を構成する前記第２ライン部との間、及び、前記第２ダミー部を構成する前記第２ライン部同士の間に位置しており、
前記第２ダミー部を構成する前記第２ライン部同士の間に位置している前記第２分断部の少なくとも一部は、前記第２電極の輪郭から前記第２ライン部の配列の間隔より大きく離間している、導電性パターン基板。
【請求項２】
第１の基材と、
前記第１の基材に網目状に配置された複数の第１ライン部を含み、遮光性および導電性を有する第１導線と、
前記第１の基材と向かい合うよう配置された第２の基材と、
前記第２の基材に網目状に配置された複数の第２ライン部を含み、遮光性および導電性を有する第２導線と、を備える導電性パターン基板であって、
前記第２導線には、前記第２ライン部を電気的に分断するための複数の第２分断部が設けられており、
前記導電性パターン基板の一方の側から見た場合に、少なくとも一つの第１ライン部が、一つの第２分断部によって分断された二つの第２ライン部の各々の、少なくとも当該第２分断部に隣接する側の端を含む一部分と、線状に重なっており、
前記複数の第２導線によって、第２電極方向に延びる複数の第２電極と、前記第２電極の間に配置された複数の第２ダミー部と、が構成され、
前記第２分断部は、前記第２電極を構成する前記第２ライン部と前記第２ダミー部を構成する前記第２ライン部との間、及び、前記第２ダミー部を構成する前記第２ライン部同士の間に位置しており、
前記第２ダミー部を構成する前記第２ライン部同士の間に位置している前記第２分断部の少なくとも一部は、前記第２電極の輪郭から前記第２ライン部の配列の間隔より大きく離間している、導電性パターン基板。
【請求項３】
前記導電性パターン基板の一方の側から見た場合に、前記一つの第２分断部によって分断された二つの第２ライン部のうちの一側に位置する一側第２ライン部は、その長手方向に沿って他側に延長されると、二つの第２ライン部のうちの他側に位置する他側第２ライン部の一側端を含む部分と、線状に重なる、請求項１または２に記載の導電性パターン基板。
【請求項４】
一つの前記第２分断部によって分断された二つの第２ライン部は、一側に位置する一側第２ライン部と、他側に位置する他側第２ライン部と、であり、
前記導電性パターン基板の一方の側から見た場合に、前記少なくとも一つの第１ライン部は、前記一側第２ライン部の他側端から当該第１ライン部の一側端または前記一側第２ライン部の一側端まで、前記一側第２ライン部に線状に重なっている、請求項１乃至３のいずれか一項に記載の導電性パターン基板。
【請求項５】
一つの前記第２分断部によって分断された二つの第２ライン部は、一側に位置する一側第２ライン部と、他側に位置する他側第２ライン部と、であり、
前記導電性パターン基板の一方の側から見た場合に、前記少なくとも一つの第１ライン部は、前記他側第２ライン部の一側端から当該第１ライン部の他側端または前記他側第２ライン部の他側端まで、前記他側第２ライン部に線状に重なっている、請求項１乃至４のいずれか一項に記載の導電性パターン基板。
【請求項６】
前記第１導線には、前記導電性パターン基板の一方の側から見た場合に前記第２分断部と重ならない位置に、前記第１ライン部を電気的に分断するための複数の第１分断部が設けられており、
前記導電性パターン基板の一方の側から見た場合に、少なくとも一つの第２ライン部が、一つの第１分断部によって分断された二つの第１ライン部の各々の、少なくとも当該第１分断部に隣接する側の端を含む一部分と、線状に重なっている、請求項１乃至５のいずれか一項に記載の導電性パターン基板。
【請求項７】
前記導電性パターン基板は、タッチパネル基板として機能するものであり、
前記複数の第１導線によって、前記第２電極方向と交差する第１電極方向に延びる複数の第１電極と、前記第１電極の間に配置された複数の第１ダミー部と、が構成される、
請求項１乃至６のいずれか一項に記載の導電性パターン基板。
【請求項８】
請求項１乃至７のいずれか一項に記載の導電性パターン基板のパターンが、前記導電性パターン基板の一方の側から見た場合に、画素部の間にあるように重ねられている、タッチ位置検出機能付き表示装置。
【発明の詳細な説明】
【技術分野】
【０００１】
本発明は、導電性を有するパターンが設けられた導電性パターン基板、およびタッチパネル基板として機能する導電性パターン基板を有するタッチ位置検出機能付き表示装置に関する。
【背景技術】
【０００２】
メッシュタイプのタッチパネル基板や、電磁波シールド基板などの分野において、網目状に配置された導線を有する導電性パターン基板が利用されている。通常、網目状に配置された導線には、導線を電気的に分断するための複数の分断部が設けられている。例えばタッチパネル基板においては、外部導体の接触や接近を検出するための複数の電極が設けられており、これら電極がそれぞれ、網目状に配置された導線によって構成されている。また、各電極の間は電気的に絶縁されている。このため、複数の電極が隣接するよう並べられる場合、隣り合う２つの電極の間の領域は、導線が存在しない空白領域となる。隣り合う２つの電極の間の領域においては、電極を構成する導線が分断されている。
【０００３】
上述の空白領域においては、その他の領域に比べて、光の透過率が局所的に高くなる。このため、空白領域が目立ってしまい、この結果、導電性パターン基板の使用者によって電極の輪郭が視認されてしまうことが考えられる。このような課題を解決するため、例えば特許文献１においては、空白領域に接する導線の端部に、他の位置における導線の幅よりも広い幅を有する拡幅部を設けることが提案されている。これによって、空白領域およびその周辺領域における光の透過率の平均値を低下させることができる。
【先行技術文献】
【特許文献】
【０００４】
【特許文献１】国際公開第２０１４／１０４０２８号パンフレット
【発明の概要】
【発明が解決しようとする課題】
【０００５】
上述の特許文献１において提案されている方法によっては、光の透過率の平均値を低下させることはできるが、空白領域を無くすことはできない。このため、使用者によって空白領域が視認されてしまうおそれがある。また通常、空白領域は、電極の配列ピッチと同一のピッチで周期的に並ぶ。このため、空白領域が並ぶ周期と、その他の構成要素の周期との間の干渉に起因して、モアレが視認されてしまうことも考えられる。例えば、タッチパネル基板とカラーフィルタとが組み合わされる場合、空白領域が並ぶ周期と、カラーフィルタの画素の周期との干渉に起因するモアレが生じることが考えられる。特に、ペンなどの細い外部導体を用いた入力に対応したタッチパネル基板の場合、入力の分解能を向上させるため、電極の配列ピッチが従来よりも小さくなっている。このため、カラーフィルタの画素など、極めて小さな周期で並ぶ構成要素との間においても、タッチパネル基板の空白領域に起因するモアレが生じやすくなっている。
【０００６】
本発明は、このような点を考慮してなされたものであり、導線の分断部が視認されてしまうことを十分に抑制することができる導電性パターン基板を提供することを目的とする。
【課題を解決するための手段】
【０００７】
第１の本発明は、導電性を有するパターンが設けられた導電性パターン基板であって、導電性パターン基板の一方の側に網目状に配置された複数の第１ライン部を含み、遮光性および導電性を有する第１導線と、導電性パターン基板の他方の側に網目状に配置された複数の第２ライン部を含み、遮光性および導電性を有する第２導線と、を備え、前記第２導線には、前記第２ライン部を電気的に分断するための複数の第２分断部が設けられており、前記導電性パターン基板の一方の側から見た場合に、少なくとも一つの第１ライン部が、一つの第２分断部によって分断された二つの第２ライン部の各々の、少なくとも当該第２分断部に隣接する側の端を含む一部分と、線状に重なっている、導電性パターン基板である。
【０００８】
第２の本発明は、第１の基材と、前記第１の基材に網目状に配置された複数の第１ライン部を含み、遮光性および導電性を有する第１導線と、前記第１の基材と向かい合うよう配置された第２の基材と、前記第２の基材に網目状に配置された複数の第２ライン部を含み、遮光性および導電性を有する第２導線と、を備え、前記第２導線には、前記第２ライン部を電気的に分断するための複数の第２分断部が設けられており、前記導電性パターン基板の一方の側から見た場合に、少なくとも一つの第１ライン部が、一つの第２分断部によって分断された二つの第２ライン部の各々の、少なくとも当該第２分断部に隣接する側の端を含む一部分と、線状に重なっている、導電性パターン基板である。
【０００９】
本発明による導電性パターン基板において、前記導電性パターン基板の一方の側から見た場合に、前記一つの第２分断部によって分断された二つの第２ライン部のうちの一側に位置する一側第２ライン部は、その長手方向に沿って他側に延長されると、二つの第２ライン部のうちの他側に位置する他側第２ライン部の一側端を含む部分と、線状に重なってもよい。
【００１０】
本発明による導電性パターン基板において、前記導電性パターン基板の一方の側から見た場合に、前記少なくとも一つの第１ライン部は、前記一つの第２分断部によって分断された二つの第２ライン部のうちの一側に位置する一側第２ライン部と、前記一側第２ライン部の他側端から、当該第１ライン部の一側端または前記一側第２ライン部の一側端までの領域に亘って、線状に重なっていてもよい。
【００１１】
本発明による導電性パターン基板において、前記導電性パターン基板の一方の側から見た場合に、前記少なくとも一つの第１ライン部は、前記一つの第２分断部によって分断された二つの第２ライン部のうちの他側に位置する他側第２ライン部と、前記他側第２ライン部の一側端から、当該第１ライン部の他側端または前記他側第２ライン部の他側端までの領域に亘って、線状に重なっていてもよい。
【００１２】
本発明による導電性パターン基板において、前記第１導線には、前記第２分断部とは異なる位置に、前記第１ライン部を電気的に分断するための複数の第１分断部が設けられており、前記導電性パターン基板の一方の側から見た場合に、少なくとも一つの第２ライン部が、一つの第１分断部によって分断された二つの第１ライン部の各々の、少なくとも当該第１分断部に隣接する側の端を含む一部分と、線状に重なっていてもよい。
【００１３】
本発明による導電性パターン基板において、前記導電性パターン基板は、タッチパネル基板として機能するものであり、前記複数の第１導線によって、第１電極方向に延びる複数の第１電極と、前記第１電極の間に配置された複数の第１ダミー部と、が構成され、前記複数の第２導線によって、前記第１電極方向と交差する第２電極方向に延びる複数の第２電極と、前記第２電極の間に配置された複数の第２ダミー部と、が構成され、前記第２分断部は、前記第２電極を構成する前記第２ライン部と前記第２ダミー部を構成する前記第２ライン部との間、または、前記第２ダミー部を構成する前記第２ライン部同士の間に位置していてもよい。
【００１４】
本発明によるタッチ位置検出機能付き表示装置は、上述の導電性パターン基板のパターンが、前記導電性パターン基板の一方の側から見た場合に、画素部の間にあるように重ねられている。
【発明の効果】
【００１５】
本発明において、導電性パターン基板の他方の側に位置する第２導線には、第２ライン部を電気的に分断するための複数の第２分断部が設けられている。そして、導電性パターン基板の一方の側から見た場合に、少なくとも一つの第１ライン部が、一つの第２分断部によって分断された二つの第２ライン部の各々の、少なくとも当該第２分断部に隣接する側の端を含む一部分と、線状に重なっている。この場合、第２分断部が設けられている領域において、光は、第１ライン部によって遮蔽されることになる。このため、第２分断部を設けることに起因する光の透過率の上昇の程度を小さくすることができる。従って、電極が設けられている領域における光の透過率と、分断部を含む領域における光の透過率との差が大きくなることを抑制することができる。また、第２分断部に起因するモアレが生じてしまうことを抑制することができる。
【図面の簡単な説明】
【００１６】
【図１】図１は、本発明の実施の形態におけるタッチ位置検出機能付き表示装置を示す展開図である。
【図２】図２は、図１のタッチ位置検出機能付き表示装置におけるタッチパネル基板を示す平面図である。
【図３Ａ】図３Ａは、第１電極および第１ダミー部を拡大して示す平面図である。
【図３Ｂ】図３Ｂは、図３Ａにおいて符号IIIBが付された二点鎖線で囲まれた部分おける第１電極および第１ダミー部をさらに拡大して示す平面図である。
【図４Ａ】図４Ａは、第２電極および第２ダミー部を拡大して示す平面図である。
【図４Ｂ】図４Ｂは、図４Ａにおいて符号IVBが付された二点鎖線で囲まれた部分における第２電極および第２ダミー部をさらに拡大して示す平面図である。
【図５Ａ】図５Ａは、図３Ａに示す第１電極および第１ダミー部並びに図４Ａに示す第２電極および第２ダミー部を重ねて示す平面図である。
【図５Ｂ】図５Ｂは、図５Ａにおいて符号VBが付された二点鎖線で囲まれた部分を拡大して示す平面図である。
【図６】図６は、タッチパネル基板を図５ＢのVI−VI線に沿って切断した場合を示す断面図である。
【図７Ａ】図７Ａは、タッチパネル基板の製造方法を説明するための図である。
【図７Ｂ】図７Ｂは、タッチパネル基板の製造方法を説明するための図である。
【図７Ｃ】図７Ｃは、タッチパネル基板の製造方法を説明するための図である。
【図７Ｄ】図７Ｄは、タッチパネル基板の製造方法を説明するための図である。
【図７Ｅ】図７Ｅは、タッチパネル基板の製造方法を説明するための図である。
【図８】図８は、導線のパターンの一変形例を示す平面図である。
【図９Ａ】図９Ａは、タッチパネル基板の層構成の一変形例を示す断面図である。
【図９Ｂ】図９Ｂは、図９Ａに示すタッチパネル基板の貼り合わせの形態の一変形例を示す断面図である。
【図９Ｃ】図９Ｃは、図９Ａに示すタッチパネル基板の貼り合わせの形態の他の変形例を示す断面図である。
【図１０】図１０は、タッチパネル基板の電極の一変形例を示す平面図である。
【発明を実施するための形態】
【００１７】
以下、図１乃至図７Ｅを参照して、本発明の実施の形態の一例について説明する。なお、本明細書に添付する図面においては、図示と理解のしやすさの便宜上、適宜縮尺および縦横の寸法比等を、実物のそれらから変更し誇張してある。また本明細書において、「基板」、「基材」、「シート」や「フィルム」など用語は、呼称の違いのみに基づいて、互いから区別されるものではない。例えば、「基板」や「基材」は、シートやフィルムと呼ばれ得るような部材も含む概念である。さらに、本明細書において用いる、形状や幾何学的条件並びにそれらの程度を特定する、例えば、「平行」や「直交」等の用語や長さや角度の値等については、厳密な意味に縛られることなく、同様の機能を期待し得る程度の範囲を含めて解釈することとする。
【００１８】
本実施の形態においては、導電性を有するパターンが設けられた導電性パターン基板が、外部の導体の接近を検出するタッチパネル基板として機能するものである例について説明する。はじめに、導電性パターン基板によって構成されたタッチパネル基板が組み込まれた表示装置（以下、タッチ位置検出機能付き表示装置とも称する）について説明する。
【００１９】
タッチ位置検出機能付き表示装置
図１に示すように、タッチ位置検出機能付き表示装置１０は、液晶ディスプレイや有機ＥＬディスプレイなどの表示装置１５と、表示装置１５の観察者側に配置されたタッチパネル基板３０と、を組み合わせることによって構成されている。表示装置１５は、表示面１６ａを有する表示パネル１６と、表示パネル１６に接続された表示制御部（図示せず）と、を有している。表示パネル１６は、映像を表示することができる矩形状のアクティブエリアＡ１と、アクティブエリアＡ１を取り囲むようにしてアクティブエリアＡ１の外側に配置された非アクティブエリア（額縁領域とも呼ばれる）Ａ２と、を含んでいる。表示制御部は、表示されるべき映像に関する情報を処理し、映像情報に基づいて表示パネル１６を駆動する。表示パネル１６は、表示制御部の制御信号に基づいて、所定の映像を表示面１６ａに表示する。すなわち、表示装置１５は、文字や図等の情報を映像として出力する出力装置としての役割を担っている。
【００２０】
タッチパネル基板３０は、表示装置１５の表示面１６ａに、例えば接着層（図示せず）を介して接着されている。図１において、タッチパネル基板３０のうち観察者側に位置する面（一方の側とも呼称する）に符号３０ａが付され、表示装置１５側に位置する面（他方の側とも呼称する）に符号３０ｂが付されている。なお図示はしないが、タッチパネル基板３０の観察者側には、タッチパネル基板３０や表示装置１５を保護するための保護カバーが設けられていてもよい。
【００２１】
タッチパネル基板
次に図１および図２を参照して、タッチパネル基板３０について説明する。図２は、観察者側から見た場合のタッチパネル基板３０を示す平面図である。
【００２２】
ここでは、タッチパネル基板３０が、投影型の静電容量結合方式のタッチパネル基板として構成される例について説明する。なお、「容量結合」方式は、タッチパネルの技術分野において「静電容量」方式や「静電容量結合」方式等とも呼ばれており、本件では、これらの「静電容量」方式や「静電容量結合」方式等と同義の用語として取り扱う。典型的な静電容量結合方式のタッチパネル基板は、透光性を有する導電性のパターンを有しており、外部の導体（典型的には人間の指）がタッチパネル基板に接近することにより、外部の導体とタッチパネル基板の導電性のパターンとの間でコンデンサ（静電容量）が形成される。そして、このコンデンサの形成に伴った電気的な状態の変化に基づき、タッチパネル基板上において外部導体が接近している位置の位置座標が特定される。なお本実施の形態によるタッチパネル基板３０において採用されている、後述する技術思想は、自己容量方式または相互容量方式のいずれにも対応可能である。
【００２３】
（第１電極および第２電極）
図２に示すように、タッチパネル基板３０は、タッチパネル基板３０の一方の側（観察者側３０ａ）に設けられ、第１電極方向Ｄ１に延びる複数の第１電極４１と、タッチパネル基板３０の他方の側（表示装置１５側である３０ｂ）に設けられ、第１電極方向Ｄ１と交差する第２電極方向Ｄ２に沿って延びる複数の第２電極４６と、を備えている。なお図２においては図示を省略しているが、タッチパネル基板３０は、タッチパネル基板３０の一方の側３０ａにおいて第１電極４１の間に設けられた複数の第１ダミー部４２と、タッチパネル基板３０の他方の側３０ｂにおいて第２電極４６の間に設けられた複数の第２ダミー部４７と、をさらに備えている。本実施の形態において、第１電極４１および第１ダミー部４２は、基材３２の第１面（観察者側の面）３２ａ上に設けられている。また第２電極４６および第２ダミー部４７は、基材３２の第２面（表示装置１５側の面）３２ｂ上に設けられている。なお図２においては、基材３２の第１面３２ａ側に設けられている構成要素が実線で表され、基材３２の第２面３２ｂ側に設けられている構成要素が点線で表されている。後述するように、第１電極４１、第１ダミー部４２、第２電極４６および第２ダミー部４７はいずれも、金属材料を含む導線によって構成されている。
【００２４】
相互容量方式が採用される場合、第１電極４１および第２電極４６の一方が駆動電極になり、他方が、駆動電極からの信号電圧が印加される検出電極となる。例えば、タッチパネル基板３０の観察者側に設けられた第１電極４１が検出電極になり、タッチパネル基板３０の表示装置１５側に設けられた第２電極４６が駆動電極になる。
【００２５】
第１電極４１は、第１電極方向Ｄ１に沿って並べられた複数の第１膨出部４１ａと、隣接する２つの第１膨出部４１ａを接続するよう第１電極方向Ｄ１に延びる第１線状部４１ｂと、を含んでいる。第１膨出部４１ａとは、第１電極方向Ｄ１と交差する第２電極方向Ｄ２における寸法が、第２電極方向Ｄ２における第１線状部４１ｂの寸法よりも大きくなっている部分のことである。また第２電極４６は、第２電極方向Ｄ２に沿って並べられた複数の第２膨出部４６ａと、隣接する２つの第２膨出部４６ａを接続するよう第２電極方向Ｄ２に延びる第２線状部４６ｂと、を含んでいる。第２膨出部４６ａとは、第２電極方向Ｄ２と交差する第１電極方向Ｄ１における寸法が、第１電極方向Ｄ１における第２線状部４６ｂの寸法よりも大きくなっている部分のことである。
【００２６】
図１および図２に示すように、タッチパネル基板３０は、タッチ位置を検出され得る領域に対応する矩形状のアクティブエリアＡａ１と、アクティブエリアＡａ１の周辺に位置する矩形枠状の非アクティブエリアＡａ２と、を含んでいる。アクティブエリアＡａ１および非アクティブエリアＡａ２はそれぞれ、表示パネル１６のアクティブエリアＡ１および非アクティブエリアＡ２に対応して区画されたものである。矩形状のアクティブエリアＡａ１の輪郭は、第１電極方向Ｄ１に延びる長辺３１ａと、第２電極方向Ｄ２に延びる短辺３１ｂと、を含んでいる（図１参照）。第１電極方向Ｄ１および第２電極方向Ｄ２は、アクティブエリアＡａ１の輪郭を構成する長辺３１ａおよび短辺３１ｂによって画定される。アクティブエリアＡａ１の輪郭が、表示装置１５において一般に採用される矩形状である場合、長辺３１ａによって画定される第１電極方向Ｄ１と、短辺３１ｂによって画定される第２電極方向Ｄ２とが直交することになる。
【００２７】
上述の第１電極４１、第１ダミー部４２、第２電極４６および第２ダミー部４７は、アクティブエリアＡａ１内に配置されている。また非アクティブエリアＡａ２のうち基材３２の第１面３２ａ上には、各第１電極４１に電気的に接続された複数の第１額縁配線４３と、基材３２の外縁近傍に配置され、各第１額縁配線４３に電気的に接続された複数の第１端子部４４と、が設けられている。さらに、非アクティブエリアＡａ２のうち基材３２の第２面３２ｂ上には、各第２電極４６に電気的に接続された複数の第２額縁配線４８と、基材３２の外縁近傍に配置され、各第２額縁配線４８に電気的に接続された複数の第２端子部４９と、が設けられている。
【００２８】
信号を適切に伝達することができる限りにおいて、第１額縁配線４３および第１端子部４４並びに第２額縁配線４８および第２端子部４９の具体的な構成が特に限られることはない。例えば第１額縁配線４３および第１端子部４４は、第１電極４１や第１ダミー部４２を構成する後述する第１導線５０と同一の層構成で第１導線５０と同時に形成されるものであってもよい。同様に、第２額縁配線４８および第２端子部４９は、第２電極４６や第２ダミー部４７を構成する後述する第２導線５５と同一の層構成で第２導線５５と同時に形成されるものであってもよい。
【００２９】
（基材）
基材３２を構成する材料としては、例えば、ポリエチレンテレフタレート（ＰＥＴ）、シクロオレフィンポリマー（ＣＯＰ）やガラスなど、十分な透光性を有する材料が用いられる。基材３２が例えばＰＥＴを含む場合、ＰＥＴの厚みは例えば１００〜２００μｍの範囲内になっている。なお電極４１，４６やダミー部４２，４７を適切に保持することができる限りにおいて、基材３２の具体的な構成が特に限られることはない。例えば、ＰＥＴ層などの表面に設けられたハードコート層がさらに基材３２に含まれていてもよい。すなわち本実施の形態において、基材３２とは、何らかの具体的な構造や材料を意味するものではなく、タッチパネル基板３０を構成する第１電極４１や第２電極４６などのパターンの下地となるものを意味するに過ぎない。
【００３０】
（第１電極および第１ダミー部の詳細について）
次に図３Ａおよび図３Ｂを参照して、第１電極４１および第１ダミー部４２について説明する。図３Ａは、タッチパネル基板３０の一方の側から見た場合の第１電極４１および第１ダミー部４２を拡大して示す平面図であり、図３Ｂは、図３Ａにおいて符号IIIBが付された二点鎖線で囲まれた部分における第１電極４１および第１ダミー部４２をさらに拡大して示す平面図である。
【００３１】
図３Ａおよび図３Ｂに示すように、タッチパネル基板３０の一方の側には、複数の第１ライン部５１を含み、遮光性および導電性を有する第１導線５０が設けられている。複数の第１ライン部５１は、第１ライン部５１の間に第１開口部５２が形成されるよう網目状に配置されている。ここでは、第１ライン部５１が、第１方向Ｍ１に延び、第１方向Ｍ１に交差するＭ２方向において等間隔で規則的並べられた導線と、第１電極方向Ｄ１に交差する第２方向Ｍ２に延び、第２方向Ｍ２に交差するＭ１方向において等間隔で規則的並べられた導線と、からなる例について説明する。このような複数の第１ライン部５１を含む第１導線５０によって、第１電極４１および第１ダミー部４２が構成されている。
【００３２】
図３Ａおよび図３Ｂに示す例において、複数の第１ライン部５１は、第１開口部５２の形状が菱形の形状になるように配置されている。すなわち、第１方向Ｍ１と第２方向Ｍ２とは互いに直交しないように設定されている。また、菱形の内角のうち鋭角になる内角が第１電極方向Ｄ１に沿って並び、菱形の内角のうち鈍角になる内角が第２電極方向Ｄ２に沿って並ぶよう、第１ライン部５１が構成されている。しかしながら、第１開口部５２によって占められる面積の比率（以下、開口率とも称する）が十分に高くなり、これによって、表示装置１５からの映像光が適切な透過率でタッチパネル基板３０のアクティブエリアＡａ１を透過することができる限りにおいて、第１開口部５２の形状や寸法が特に限られることはない。例えば、図示はしないが、第１方向Ｍ１と第２方向Ｍ２とが互いに直交するように設定されていてもよい。
【００３３】
好ましくは、第１導線５０の第１ライン部５１が延びる第１方向Ｍ１および該第１ライン部が並ぶ（配列する）第２方向Ｍ２は、第１電極方向Ｄ１および第２電極方向Ｄ２に平行または直交しないよう設定される。通常、第１電極方向Ｄ１および第２電極方向Ｄ２は、タッチパネル基板３０と組み合される表示装置１５やカラーフィルタの画素の配列方向に平行または直交している。従って、第１方向Ｍ１および第２方向Ｍ２を、第１電極方向Ｄ１および第２電極方向Ｄ２に対して傾斜させることにより、第１ライン部５１の周期と画素の周期との干渉に起因してモアレが生じてしまうことを抑制することができる。
【００３４】
しかしながら、第１導線５０の第１ライン部５１が延びる第１方向Ｍ１および該第１ライン部が並ぶ第２方向Ｍ２が、タッチパネル基板３０と組み合される表示装置１５やカラーフィルタの画素の配列方向に平行または直交してもよい。この場合において、好ましくは、第１ライン部５１は、画素部の配列の間と一致するよう重ねられる。すなわち、タッチパネル基板３０に形成された第１ライン部５１のパターンが、タッチパネル基板３０の一方の側から見た場合に、画素部の間にあるように重ねられる。このような態様であれば、第１ライン部５１が画素部の間にあることで第１ライン部５１の周期と画素の周期との干渉が抑制されるので、モアレが生じてしまうことを抑制することができる。
【００３５】
第１ライン部５１の線幅は、求められる開口率などに応じて設定されるが、例えば第１ライン部５１の幅は１〜１０μｍの範囲内、より好ましくは２〜７μｍの範囲内に設定されている。これによって、観察者が視認する映像に対して第１ライン部５１が及ぼす影響を、無視可能な程度まで低くすることができる。
【００３６】
第１ライン部５１を含む第１導線５０は、後述するように、金属材料からなる第１金属層６１を含んでいる。第１導線５０に含まれる金属材料としては、例えば、銀、銅、アルミニウムまたはこれらの金属を１種以上含む合金等を挙げることができる。第１ライン部５１を含む第１導線５０の厚みは、第１電極４１に対して求められる電気抵抗値などに応じて適宜設定されるが、例えば０．１〜１０．０μｍの範囲内となっている。
【００３７】
図３Ａおよび図３Ｂに示すように、第１電極４１を構成する第１ライン部５１と第１ダミー部４２を構成する第１ライン部５１との間には、複数の第１分断部５３が設けられている。このような第１分断部５３を設けることにより、第１電極４１と第１ダミー部４２との間を電気的に分断して絶縁することができる。通常は、１つの第１分断部５３を挟んで隣接する２つの第１ライン部５１の一方を延長すると他方の第１ライン部５１に重なるよう、とりわけ線状に重なるよう、第１分断部５３および第１ライン部５１が構成されている。第１ライン部５１が延びる方向における第１分断部５３の寸法は、例えば１〜５００μｍの範囲内に設定される。なお、本明細書で用いる「線状に重なる」とは、２本のライン部が、それらの長手方向に沿った一定の区間に亘って、重なっていることを意味する。
【００３８】
第１電極４１と第１ダミー部４２との間の境界部の形状、すなわち第１電極４１の輪郭は、第１電極４１と第１ダミー部４２との間の第１分断部５３の配置によって画定される。図３Ａおよび図３Ｂにおいて、タッチパネル基板３０の一方の側からタッチパネル基板３０を見た場合における、すなわち平面視における第１電極４１の輪郭が、符号Ｂ１が付された一点鎖線によって示されている。斯かる輪郭線が図２に於ける第１電極４１の輪郭と一致する。
【００３９】
また図３Ｂに示すように、第１ダミー部４２を構成する第１ライン部５１同士の間にも、複数の第１分断部５３が設けられていてもよい。なお図３Ａにおいては、第１ダミー部４２内の第１分断部５３が便宜上省略されている。
【００４０】
（第２電極および第２ダミー部の詳細について）
次に図４Ａおよび図４Ｂを参照して、第２電極４６および第２ダミー部４７について説明する。図４Ａは、タッチパネル基板３０の一方の側から見た場合の第２電極４６および第２ダミー部４７を拡大して示す平面図であり、図４Ｂは、図４Ａにおいて符号IVBが付された二点鎖線で囲まれた部分における第２電極４６および第２ダミー部４７をさらに拡大して示す平面図である。
【００４１】
第１導線５０の場合と同様に、タッチパネル基板３０の他方の側には、複数の第２ライン部５６を含み、遮光性および導電性を有する第２導線５５が設けられている。複数の第２ライン部５６は、第２ライン部５６の間に第２開口部５７が形成されるよう網目状に配置されている。第１導線５０の第１ライン部５１と同様に、第２導線５５の第２ライン部５６は、第１方向Ｍ１に延び、第１方向Ｍ１に交差するＭ２方向において等間隔で規則的並べられた導線と、第１電極方向Ｄ１に交差する第２方向Ｍ２に延び、第２方向Ｍ２に交差するＭ１方向において等間隔で規則的並べられた導線と、からなっている。このような複数の第２ライン部５６を含む第２導線５５によって、第２電極４６および第２ダミー部４７が構成されている。
【００４２】
第２ライン部５６を含む第２導線５５は、後述するように、金属材料からなる第２金属層６６を含んでいる。第２導線５５に含まれる金属材料としては、第１導線５０の場合と同様に、例えば、銀、銅、アルミニウムまたはこれらの金属を１種以上含む合金等を挙げることができる。第２ライン部５６を含む第２導線５５の厚みは、第２電極４６に対して求められる電気抵抗値などに応じて適宜設定されるが、例えば０．１〜２．０μｍの範囲内となっている。
【００４３】
第１ライン部５１の場合と同様に、第２ライン部５６の寸法や形状が特に限られることはない。ここでは、第１ライン部５１の場合と同様に、第２電極４６および第２ダミー部４７が、第２開口部５７の形状が菱形の形状になるように複数の第２ライン部５６を配置することによって構成される例が示されている。
【００４４】
第２ライン部５６の線幅は、第１ライン部５１と同等に設定されてもよく、若しくは、第１ライン部５１とは異なるように設定されてもよい。本実施の形態においては、第１ライン部５１の線幅と第２ライン部５６の線幅とが同一である例について説明する。
【００４５】
図４Ａおよび図４Ｂに示すように、第２電極４６を構成する第２ライン部５６と第２ダミー部４７を構成する第２ライン部５６との間には、複数の第２分断部５８が設けられている。このような第２分断部５８を設けることにより、第２電極４６と第２ダミー部４７との間を電気的に分断して絶縁することができる。通常は、１つの第２分断部５８を挟んで隣接する２つの第２ライン部５６の一方を延長すると他方の第２ライン部５６に重なるよう、とりわけ線状に重なるよう、第２分断部５８および第２ライン部５６が構成されている。第２ライン部５６が延びる方向における第２分断部５８の寸法は、例えば１〜５００μｍの範囲内に設定される。
【００４６】
第２電極４６と第２ダミー部４７との間の境界部の形状、すなわち第２電極４６の輪郭は、第２電極４６と第２ダミー部４７との間の第２分断部５８の配置によって画定される。図４Ａおよび図４Ｂにおいて、平面視における第２電極４６の輪郭が、符号Ｂ２が付された一点鎖線によって示されている。斯かる輪郭線が図２に於ける第２電極４６の輪郭と一致する。
【００４７】
また図４Ｂに示すように、第２ダミー部４７を構成する第２ライン部５６同士の間にも、複数の第２分断部５８が設けられていてもよい。なお図４Ａにおいては、第２ダミー部４７内の第２分断部５８が便宜上省略されている。
【００４８】
図５Ａは、図３Ａに示す第１電極４１および第１ダミー部４２並びに図４Ａに示す第２電極４６および第２ダミー部４７を重ねて示す平面図である。また図５Ｂは、図５Ａにおいて符号VBが付された二点鎖線で囲まれた部分を拡大して示す平面図である。なお図５Ｂにおいては、便宜上、タッチパネル基板３０の一方の側に設けられている、第１電極４１や第１ダミー部４２などの構成要素が、タッチパネル基板３０の他方の側に設けられている、第２電極４６や第２ダミー部４７などの構成要素よりも太い線で表されている。ここで、図５Ａおよび図５Ｂに示すように、第１ライン部５１同士の交点５１ａと第２ライン部５６同士の交点５６ａとが互いに重なるように第１ライン部５１および第２ライン部５６は配置されている。さらに図示された例において、各第１ライン部５１は、第２ライン部５６と線状に重なるようにして当該第２ライン部上に位置し、或いは、第２分断部５８上に位置し、且つ、各第２ライン部５６は、第１ライン部５１と線状に重なるようにして当該第１ライン部５１上に位置し、或いは、第１分断部５３上に位置している。
【００４９】
（分断部が存在することによる課題）
以下、第１分断部５３および第２分断部５８が存在する場合の課題について説明する。第１分断部５３が形成された位置では、光は、第１ライン部５１によって遮蔽されることなくタッチパネル基板３０の一方の側（第１面３０ａ側）の領域を通過する。同様に、第２分断部５８が形成された位置では、光は、第２ライン部５６によって遮蔽されることなくタッチパネル基板３０の他方の側（第２面３０ｂ側）の領域を通過する。従って、第１分断部５３や第２分断部５８が無秩序に配置される場合、第１分断部５３や第２分断部５８によって占められる領域の面積の分だけ、分断部５３，５８を含まない、電極４１，４６が設けられている領域における光の透過率と、分断部５３，５８を含む、ダミー部４２，４７が設けられている領域における光の透過率との差が大きくなってしまう。
【００５０】
例えば、タッチパネル基板３０のアクティブエリアＡａ１を、平面視において第１電極４１と第２電極４６とが重なる領域（以下、第１領域とも称する）、平面視において第１電極４１と第２ダミー部４７とが重なる領域または第２電極４６と第１ダミー部４２とが重なる領域（以下、第２領域とも称する）、および、平面視において第１ダミー部４２と第２ダミー部４７とが重なる領域（以下、第３領域とも称する）に分類して考える。この場合、第１領域においては、タッチパネル基板３０の一方の側および他方の側のいずれにも分断部５３，５８が存在しない。一方、第２領域においては、タッチパネル基板３０の一方の側および他方の側のいずれか一方に分断部５３，５８が存在する。また第３領域においては、タッチパネル基板３０の一方の側および他方の側の両方に分断部５３，５８が存在する。従って、第１分断部５３や第２分断部５８の位置が無秩序に設定される場合、第１領域における光の透過率Ｔ１、第２領域における光の透過率Ｔ２および第３領域における光の透過率Ｔ３は、Ｔ１＜Ｔ２＜Ｔ３という関係を示すようになる。例えば、第１ライン部５１および第２ライン部５６の開口率が９５％であり、基材３２における光の透過率が１００％であると仮定する場合、Ｔ１＝９５％、Ｔ２＝９６％、Ｔ３＝９７％というような透過率の分布になり得る。この場合、第１領域、第２領域および第３領域は、観察者によって比較的に容易に識別され得る。
【００５１】
また、合成樹脂を含む保護カバーがタッチパネル基板３０の観察者側に配置される場合、合成樹脂の比誘電率がガラスに比べて低いため、その分だけタッチパネルの検出感度が低下してしまう。このような問題を解決する方法の１つとして、平面視における第１電極４１と第２電極４６との間の間隔ｄ（図２参照）を大きくすることが考えられる。なぜなら、間隔ｄを大きくすることにより、第１電極４１から第２電極４６に至る電気力線の経路がより観察者側にまで広がるようにすることができ、これによって、外部導体の接近や接触をより精度良く検出できるようになるからである。間隔ｄは、保護カバーを構成する材料の比誘電率や保護カバーの厚みに応じて適宜設定されるが、例えば０．１〜１ｍｍの範囲内に設定される。一方、平面視において第１電極４１と第２電極４６との間に位置することになる領域は、第１ダミー部４２と第２ダミー部４７とが重なる上述の第３領域である。従って、間隔ｄが大きくなることは、アクティブエリアＡａ１における上述の第３領域の面積の比率がより大きくなることを意味している。このことは、第１領域、すなわち電極４１，４６が観察者により視認され易くなってしまうことを導く可能性がある。
【００５２】
また、分断部５３，５８がライン部５１，５６の配列ピッチや電極４１，４６の配列ピッチに応じて規則的に並ぶ場合、分断部５３，５８に起因するモアレが生じてしまうことも考えられる。
【００５３】
（第１ライン部と第２ライン部との関係）
このような課題を考慮し、本件発明者は、タッチパネル基板３０の一方の側３０ａから見た場合に、少なくとも一つの第１ライン部５１が、一つの第２分断部５８によって分断された二つの第２ライン部５６の各々の、少なくとも当該第２分断部５８に隣接する側の端を含む一部分と、線状に重なっていることを提案する。図６は、図５ＢのVI−VI線に沿った断面図、すなわち第１ライン部５１および第２ライン部５６の延びる方向に沿った断面図である。図６からも理解されるように、タッチパネル基板３０の一方の側３０ａ（図６に於ける基材３２の第１面３２ａ側でもある）から見た場合、第２分断部５８には、第１ライン部５１が重ねられている。これによって、第２分断部５８の位置において光がタッチパネル基板３０を透過してしまうことを抑制することができる。このような構成によれば、上述した第１領域、第２領域および第３領域間の光の透過率の差を減らすことができ、特定の領域部分が視認されやすくなることを抑制することができる。
【００５４】
同様に、タッチパネル基板３０の一方の側３０ａから見た場合に、少なくとも一つの第２ライン部５６が、一つの第１分断部５３によって分断された二つの第１ライン部５１の各々の、少なくとも当該第１分断部５３に隣接する側の端を含む一部分と、線状に重なっていてもよい。図６からも理解されるように、タッチパネル基板３０の一方の側から見た場合、第１分断部５３には、第２ライン部５６が重ねられている。これによって、第１分断部５３の位置において光がタッチパネル基板３０を透過してしまうことを抑制することができる。これにより、上述した第１領域、第２領域および第３領域間の光の透過率の差をさらに減らすことができ、特定の領域部分が視認されやすくなることを抑制することができる。
【００５５】
また、好ましくは、タッチパネル基板３０の一方の側から見た場合に、一つの第２分断部５８によって分断された二つの第２ライン部５６のうちの一側に位置する一側第２ライン部５６は、その長手方向に沿って他側に延長されると、二つの第２ライン部５６のうちの他側に位置する他側第２ライン部５６の一側端を含む部分と、線状に重なる。すなわち、図５Ｂや図６に示すように、線状の第２ライン部５６が、第２分断部５８によって二つの第２ライン部５６に分断されている。このような構成によれば、第２分断部５８上に位置する第１ライン部５１が、視認されにくいパターンとなる。
【００５６】
さらに、好ましくは、タッチパネル基板３０の一方の側３０ａから見た場合に、少なくとも一つの第１ライン部５１は、一つの第２分断部５８によって分断された二つの第２ライン部５６のうちの一側に位置する一側第２ライン部５６と、一側第２ライン部５６の他側端から、当該第１ライン部５１の一側端または一側第２ライン部５６の一側端までの領域に亘って、線状に重なっている。図６に示す例からは、第１ライン部５１が、第２ライン部５６の他側端から、第１ライン部５１の一側端までの領域に亘って、線状に重なっていることが理解される。このような構成によれば、第２分断部５８上に位置する第１ライン部５１によって、第２分断部５８を極めて効果的に不可視化することができる。
【００５７】
同様に、タッチパネル基板３０の一方の側３０ａから見た場合に、少なくとも一つの第２ライン部５６は、一つの第１分断部５３によって分断された二つの第１ライン部５１のうちの一側に位置する一側第１ライン部５１と、一側第１ライン部５１の他側端から、当該第２ライン部５６の一側端または一側第１ライン部５１の一側端までの領域に亘って、線状に重なっていてもよい。図６に示す例からは、第２ライン部５６が、第１ライン部５１の他側端から、第２ライン部５６の一側端までの領域に亘って、線状に重なっていることが理解される。このような構成によれば、第１分断部５３上に位置する第２ライン部５６によって、第１分断部５３を極めて効果的に不可視化することができる。
【００５８】
より好ましくは、図５Ａ及び図５Ｂに示すように、タッチパネル基板３０の一方の側から見た場合に、第１導線５０と第２導線５５のパターンが同一であり、かつ第１導線５０の第１ライン部５１同士の交点５１ａと、第２導線５５の第２ライン部５６同士の交点５６ａとが、その全域において一致するように配置されている。すなわち、第１導線５０と第２導線５５は、その全域において一致している。さらに言い換えると、各第１ライン部５１は、第２ライン部５６と線状に重なるようにして当該第２ライン部上に位置し、或いは、第２分断部５８上に位置している。各第２ライン部５６は、第１ライン部５１と線状に重なるようにして当該第１ライン部５１上に位置し、或いは、第１分断部５３上に位置している。したがって、第１導線５０および第２導線５５の全域において、上述した分断部５３，５８の位置において光がタッチパネル基板３０を透過してしまうことを抑制することができる。このような構成によれば、上述した第１領域、第２領域および第３領域間の光の透過率の差をより効果的に減らすことができ、特定の領域部分が視認されやすくなることをより効果的に抑制することができる。
【００５９】
なお、ここでいう「線状」とは、単なる直線状のみを意味するものではない。例えば、第２分断部５８によって分断された二つの第２ライン部５６が正弦函数曲線、楕円函数曲線等の曲線である場合、当該第２ライン部５６の長手方向に沿った延長は、当該曲線に沿った延長となる。つまり、一側に位置する一側第２ライン部５６が、その長手方向に沿って曲線状に他側に延長されると、二つの第２ライン部５６のうちの他側に位置する他側第２ライン部５６の一側端を含む部分と、曲線状に重なる。また、第２ライン部５６が曲線である場合、第１ライン部５１は、第２ライン部５６の他側端から、第１ライン部５１の一側端までの領域に亘って、第２ライン部５６と同一の曲線に沿って延びて重なっている。
【００６０】
タッチパネル基板の製造方法
次に、以上のような構成からなるタッチパネル基板３０を製造する方法について、図７Ａ〜図７Ｅを参照して説明する。
【００６１】
はじめに図７Ａに示すように、タッチパネル基板３０を作製するための元材としての積層体６０（ブランクとも呼ばれる）を準備する。積層体６０は、基材３２と、基材３２の第１面３２ａ上に設けられ、遮光性および導電性を有する第１金属層６１と、基材３２の第２面３２ｂ上に設けられ、遮光性および導電性を有する第２金属層６６と、を備えている。基材３２の各面３２ａ，３２ｂ上に金属層６１，６６を設ける方法が特に限られることはなく、蒸着法やスパッタリング法などの公知の方法が適宜用いられ得る。
【００６２】
次に図７Ｂに示すように、第１金属層６１上に第１感光層７１を設け、かつ、第２金属層６６上に第２感光層７６を設ける。第１感光層７１および第２感光層７６は、特定波長域の光、例えば紫外線に対する感光性を有している。感光層７１，７６のタイプが特に限られることはない。例えば光硬化型の感光層が用いられてもよく、若しくは光溶解型の感光層が用いられてもよい。ここでは、光溶解型の感光層が用いられる例について説明する。第１金属層６１上および第２金属層６６上に第１感光層７１および第２感光層７６を設ける方法としては、例えば、ドライフィルムレジストを第１金属層６１上および第２金属層６６上にそれぞれ貼付するという方法や、感光材を第１金属層６１上および第２金属層６６上にそれぞれ塗布するという方法を採用することができる。
【００６３】
（露光工程）
その後、図７Ｂに示すように、所定のパターンで遮光部７２ａおよび開口部７２ｂが形成された第１露光マスク７２を第１感光層７１の近傍に設置し、かつ、所定のパターンで遮光部７７ａおよび開口部７７ｂが形成された第２露光マスク７７を第２感光層７６の近傍に設置する。第１露光マスク７２の遮光部７２ａのパターンは、第１ライン部５１のパターンに対応しており、第１露光マスク７２の開口部７２ｂのパターンは、第１開口部５２および第１分断部５３のパターンに対応している。また第２露光マスク７７の遮光部７７ａのパターンは、第２ライン部５６のパターンに対応しており、第２露光マスク７７の開口部７７ｂのパターンは、第２開口部５７および第２分断部５８のパターンに対応している。次に、第１露光マスク７２に対する第２露光マスク７７の相対位置を調整する。例えば、第１露光マスク７２または第２露光マスク７７のいずれか一方の露光マスクに形成されているアライメントマークを基準として、他方の露光マスクの位置を調整する。若しくは、基材３２などに設けられている同一のアライメントマークを共通に用いて、第１露光マスク７２および第２露光マスク７７の位置を調整する。これによって、第１露光マスク７２に対して高い位置精度で第２露光マスク７７を配置することができる。その後、第１露光マスク７２を介して第１感光層７１に所定のパターンで露光光を照射し、かつ、第２露光マスク７７を介して第２感光層７６に所定のパターンで露光光を照射する露光工程を実施する。なお、第１感光層７１に対する露光光の照射と、第２感光層７６に対する露光光の照射は、同時に実施されてもよく、異なるタイミングで実施されてもよい。
【００６４】
（現像工程）
次に、第１感光層７１および第２感光層７６を現像する。これによって、図７Ｃに示すように、パターニングされた第１感光層７１および第２感光層７６を得ることができる。
【００６５】
（エッチング工程）
その後、図７Ｄに示すように、第１感光層７１をレジストとして第１金属層６１をウェットエッチングする。これによって、第１電極４１および第１ダミー部４２の第１導線５０に対応するパターンで第１金属層６１をパターニングすることができる。また、第２感光層７６をレジストとして第２金属層６６をウェットエッチングする。これによって、第２電極４６および第２ダミー部４７の第２導線５５に対応するパターンで第２金属層６６をパターニングすることができる。次に、図７Ｅに示すように、感光層７１，７６を除去する。このようにして、上述のタッチパネル基板３０を得ることができる。
【００６６】
なお図示はしないが、第１導線５０および第２導線５５には、第１導線５０および第２導線５５による光の反射を抑制するための低反射処理が施されていてもよい。例えば第１導線５０の表面には、黒化処理が施されていてもよい。また、第２導線５５は、金属材料からなる層に加えて、金属材料からなる層と基材３２の第２面３２ｂとの間に設けられた低反射層をさらに含んでいてもよい。
【００６７】
以上のように、本実施の形態によれば、導電性を有するパターンが設けられた導電性パターン基板は、導電性パターン基板の一方の側に網目状に配置された複数の第１ライン部５１を含み、遮光性および導電性を有する第１導線５０と、導電性パターン基板の他方の側に網目状に配置された複数の第２ライン部５６を含み、遮光性および導電性を有する第２導線５５と、を備え、第２導線５５には、第２ライン部５６を電気的に分断するための複数の第２分断部５８が設けられており、導電性パターン基板の一方の側から見た場合に、少なくとも一つの第１ライン部５１が、一つの第２分断部５８によって分断された二つの第２ライン部５６の各々の、少なくとも当該第２分断部５８に隣接する側の端を含む一部分と、線状に重なっている。このような導電性パターン基板によれば、第２分断部５８の位置において光がタッチパネル基板３０を透過してしまうことを抑制することができる。すなわち、第２分断部５８が存在することで生じ得る、分断部を含む領域の光の透過率と分断部を含まない領域の光の透過率との差を減らすことができる。したがって、光の透過率の差から、分断部を含む領域と分断部を含まない領域との視認性の差を減らすことができる。つまり、分断部が視認されることを抑制することができる。また、分断部５３，５８が視認されることによって生じ得るモアレの発生を、抑制することもできる。
【００６８】
また、本実施の形態におけるタッチ位置検出機能付き表示装置１０おいて、導電性パターン基板のパターンが、導電性パターン基板の一方の側から見た場合に、画素部の間にあるように重ねられている。このようなタッチ位置検出機能付き表示装置１０によれば、導電性パターン基板のパターンを画成するライン部５１，５６が画素部の間にあることで、ライン部５１，５６の周期と画素の周期との干渉が抑制される。したがって、導電性パターン基板のパターンと画素部とによって、モアレが生じてしまうことを抑制することができる。
【００６９】
なお、上述した実施の形態に対して様々な変更を加えることが可能である。以下、必要に応じて図面を参照しながら、変形例について説明する。以下の説明および以下の説明で用いる図面では、上述した実施の形態と同様に構成され得る部分について、上述の実施の形態における対応する部分に対して用いた符号と同一の符号を用いることとし、重複する説明を省略する。また、上述した実施の形態において得られる作用効果が変形例においても得られることが明らかである場合、その説明を省略することもある。
【００７０】
（第１ライン部および第２ライン部の配列の変形例）
上述の実施の形態の形態においては、第１ライン部５１および第２ライン部５６がそれぞれ規則的に配置される例を示した。具体的には、第１ライン部５１の複数の交点５１ａおよび第２ライン部５６の複数の交点５６ａがそれぞれ所定の方向に沿って周期的に並ぶよう、第１ライン部５１および第２ライン部５６が配置される例を示した。しかしながら、図８に示すように、第１ライン部５１は、複数の交点５１ａが不規則に並ぶように配置されていてもよい。図８に示すような第１ライン部５１のパターンは、例えば、はじめに、複数の交点５１ａがそれぞれ所定の方向に沿って周期的に並ぶように第１ライン部５１を配置し、次に、隣接する交点５１ａ間の距離よりも小さい距離だけ様々な方向で各交点５１ａをランダムに変位させることにより、作製され得る。複数の交点５１ａが不規則に並ぶように第１ライン部５１を配置することにより、例えば、モアレを低減するという効果が期待される。なお図示はしないが、第２ライン部５６は、第１ライン部５１と同様の位置に、複数の交点５６ａが並ぶように配置されている。
【００７１】
図８に示す本変形例においても、タッチパネル基板３０の一方の側から見た場合に、少なくとも一つの第１ライン部５１が、少なくとも一つの第２分断部５８によって分断された二つの第２ライン部５６の各々の、少なくとも当該第２分断部５８に隣接する側の端を含む一部分と、線状に重なっている。このため、第２分断部５８が観察者に視認されてしまうことを抑制することができる。
【００７２】
（層構成の変形例）
また上述の実施の形態の形態においては、第１電極４１および第１ダミー部４２を構成する第１導線５０が、基材３２の第１面３２ａ上に設けられ、第２電極４６および第２ダミー部４７を構成する第２導線５５が、基材３２の第２面３２ｂ上に設けられる例を示した。しかしながら、タッチパネル基板３０の一方の側から見た場合に、少なくとも一つの第１ライン部５１が、少なくとも一つの第２分断部５８によって分断された二つの第２ライン部５６の各々の、少なくとも当該第２分断部５８に隣接する側の端を含む一部分と、線状に重なっている限りにおいて、タッチパネル基板３０の層構成が特に限られることはない。例えば図９Ａに示すように、互いに対向する２つの基材３２Ａ，３２Ｂの対向面の一方（第１の基材３２Ａ）に第１導線５０を設け、他方（第２の基材３２Ｂ）に第２導線５５を設け、そして２つの基材３２を接着層３４によって貼り合わせてもよい。このように２つの基材３２Ａ，３２Ｂを貼り合わせる場合であっても、第１導線５０によって、タッチパネル基板３０の一方の側に設けられる第１電極４１および第１ダミー部４２を構成することができ、また第２導線５５によって、タッチパネル基板３０の他方の側に設けられる第２電極４６および第２ダミー部４７を構成することができる。また、少なくとも一つの第１ライン部５１が、少なくとも一つの第２分断部５８によって分断された二つの第２ライン部５６の各々の、少なくとも当該第２分断部５８に隣接する側の端を含む一部分と、線状に重なっているよう、第１導線５０および第２導線５５を配置することにより、分断部５３，５８が観察者に視認されてしまうことを抑制することができる。
【００７３】
なお図９Ａにおいては、第１の基材３２Ａのうち第１導線５０が設けられている面と、第２の基材３２Ｂのうち第２導線５５が設けられている面とが向かい合うように２つの基材３２Ａ，３２Ｂを貼りあわせ、これによって、少なくとも一つの第１ライン部５１が、少なくとも一つの第２分断部５８によって分断された二つの第２ライン部５６の各々の、少なくとも当該第２分断部５８に隣接する側の端を含む一部分と、線状に重なっている例を示した。しかしながら、これに限られることはなく、図９Ｂに示すように、第１の基材３２Ａのうち第１導線５０が設けられている面とは反対側の面と、第２の基材３２Ｂのうち第２導線５５が設けられている面とは反対側の面とが向かい合うように、２つの基材３２Ａ，３２Ｂを貼りあわせてもよい。その他にも、図９Ｃに示すように、第１の基材３２Ａのうち第１導線５０が設けられている面とは反対側の面と、第２の基材３２Ｂのうち第２導線５５が設けられている面とが向かい合うように、２つの基材３２Ａ，３２Ｂを貼りあわせてもよい。これらの場合であっても、少なくとも一つの第１ライン部５１が、少なくとも一つの第２分断部５８によって分断された二つの第２ライン部５６の各々の、少なくとも当該第２分断部５８に隣接する側の端を含む一部分と、線状に重なっているよう、第１導線５０および第２導線５５を配置することにより、分断部５３，５８が観察者に視認されてしまうことを抑制することができる。
【００７４】
（電極のパターンの変形例）
また上述の実施の形態の形態においては、電極４１，４６が膨出部４１ａ，４６ａおよび線状部４１ｂ，４６ｂを含む例を示した。すなわち、電極４１，４６のパターンがいわゆるダイヤモンドパターンである例を示した。しかしながら、電極４１，４６のパターンが特に限られることはない。例えば図１０に示すように、電極４１，４６のパターンとして、いわゆるストライプパターンが採用されてもよい。
【００７５】
また上述の実施の形態の形態においては、少なくとも一つの第１ライン部５１が、少なくとも一つの第２分断部５８によって分断された二つの第２ライン部５６の各々の、少なくとも当該第２分断部５８に隣接する側の端を含む一部分と、線状に重なっており、少なくとも一つの第２ライン部５６が、少なくとも一つの第１分断部５３によって分断された二つの第１ライン部５１の各々の、少なくとも当該第１分断部５３に隣接する側の端を含む一部分と、線状に重なっているよう配置された第１導線５０および第２導線５５を用いて、タッチパネル基板３０を構成する例を示した。しかしながら、これに限られることはなく、タッチパネル基板３０以外にも、上述の第１導線５０および第２導線５５を用いて、導電性を有するパターンを備えた様々な導電性パターン基板を構成することができる。例えば、移動体用メッシュアンテナや電磁波シールド等として使用される導電性パターン基板を構成することができる。
【００７６】
なお、上述した実施の形態に対するいくつかの変形例を説明してきたが、当然に、複数の変形例を適宜組み合わせて適用することも可能である。
【符号の説明】
【００７７】
１０    タッチ位置検出機能付き表示装置
１５    表示装置
３０    タッチパネル基板
３２    基材
３４    接着層
４１    第１電極
４１ａ  第１膨出部
４１ｂ  第１線状部
４２    第１ダミー部
４６    第２電極
４６ａ  第２膨出部
４６ｂ  第２線状部
４７    第２ダミー部
５０    第１導線
５１    第１ライン部
５１ａ  交点
５２    第１開口部
５３    第１分断部
５５    第２導線
５６    第２ライン部
５６ａ  交点
５７    第２開口部
５８    第２分断部
６０    積層体
６１    第１金属層
６６    第２金属層
７１    第１感光層
７２    第１露光マスク
７６    第２感光層
７７    第２露光マスク
Ｄ１    第１電極方向
Ｄ２    第２電極方向
Ｍ１    第１方向
Ｍ２    第２方向
【図１】
0006747084.tif 000002
【図２】
0006747084.tif 000003
【図３Ａ】
0006747084.tif 000004
【図３Ｂ】
0006747084.tif 000005
【図４Ａ】
0006747084.tif 000006
【図４Ｂ】
0006747084.tif 000007
【図５Ａ】
0006747084.tif 000008
【図５Ｂ】
0006747084.tif 000009
【図６】
0006747084.tif 000010
【図７Ａ】
0006747084.tif 000011
【図７Ｂ】
0006747084.tif 000012
【図７Ｃ】
0006747084.tif 000013
【図７Ｄ】
0006747084.tif 000014
【図７Ｅ】
0006747084.tif 000015
【図８】
0006747084.tif 000016
【図９Ａ】
0006747084.tif 000017
【図９Ｂ】
0006747084.tif 000018
【図９Ｃ】
0006747084.tif 000019
【図１０】
0006747084.tif 000020